(57)【特許請求の範囲】
【請求項１】
灯具と、
前記灯具を点灯させる点灯装置と、
前記灯具と前記点灯装置との間で信号を通信する通信手段と、
を備え、
前記灯具は、ＬＥＤ素子と、前記ＬＥＤ素子の温度を検知する温度検知手段と、を備え、
前記信号は、前記温度検知手段で検知した前記ＬＥＤ素子の温度情報を含み、
前記点灯装置は、
前記ＬＥＤ素子と接続するコンバータ回路と、
前記ＬＥＤ素子に供給する直流電流の値が目標電流値に一致するように前記コンバータ回路を制御する制御手段と、
前記通信手段を介して受信した前記信号に含まれる前記温度情報に基づいて前記ＬＥＤ素子の温度が高いほど前記目標電流値を大きく設定する設定手段と、
を備え、
前記ＬＥＤ素子を識別する識別手段を備え、
前記信号は、前記識別手段で得られた前記ＬＥＤ素子の識別に用いる識別情報を含み、
前記設定手段は、前記通信手段を介して受信された前記信号に含まれる前記識別情報に応じて前記目標電流値の調整量を変更する照明器具。
【請求項２】
予め定めた保護温度を前記温度情報と比較した結果に基づいて、前記コンバータ回路に対して保護制御を実施する保護制御手段をさらに備える請求項１に記載の照明器具。
【請求項３】
前記ＬＥＤ素子を識別する識別情報を取得する識別手段と、
前記識別情報ごとに予め定められた保護温度を記憶した記憶手段と、
を備え、
前記保護制御手段は、前記識別情報に応じて前記保護温度を変更する請求項２に記載の照明器具。
【請求項４】
灯具と、
前記灯具を点灯させる点灯装置と、
前記灯具と前記点灯装置との間で信号を通信する通信手段と、
を備え、
前記灯具は、ＬＥＤ素子と、前記ＬＥＤ素子の温度を検知する温度検知手段と、を備え、
前記信号は、前記温度検知手段で検知した前記ＬＥＤ素子の温度情報を含み、
前記点灯装置は、
前記ＬＥＤ素子と接続するコンバータ回路と、
前記ＬＥＤ素子に供給する直流電流の値が目標電流値に一致するように前記コンバータ回路を制御する制御手段と、
前記通信手段を介して受信した前記信号に含まれる前記温度情報に基づいて前記ＬＥＤ素子の温度が高いほど前記目標電流値を大きく設定する設定手段と、
を備え、
前記信号が無線信号であり、
前記通信手段は、
前記灯具に設けられ、前記温度検知手段で検知された前記温度情報を含む前記無線信号を出力する無線送信手段と、
前記点灯装置に設けられ、前記無線信号を受信して前記設定手段に伝達する無線受信手段と、
を含む照明器具。
【請求項５】
ＬＥＤ素子に供給する直流電流を生成するためのコンバータ回路と、
前記ＬＥＤ素子に供給する直流電流の値が目標電流値に一致するように前記コンバータ回路を制御する制御手段と、
無線信号を受信する無線受信手段と、
前記無線受信手段を介して受信した前記無線信号から前記ＬＥＤ素子の温度情報を取得し、前記ＬＥＤ素子の温度が高いほど前記目標電流値を大きく設定する設定手段と、
を備える点灯装置。
【請求項６】
ＬＥＤ素子に供給する直流電流を生成するためのコンバータ回路と、
前記ＬＥＤ素子に供給する直流電流の値が目標電流値に一致するように前記コンバータ回路を制御する制御手段と、
無線信号を受信する無線受信手段と、
前記無線受信手段を介して取得した前記無線信号から前記ＬＥＤ素子の識別情報を取得し、前記識別情報に対応付けられた保護温度を前記ＬＥＤ素子の温度情報と比較した結果に基づいて、前記コンバータ回路に対して保護制御を実施する保護制御手段と、
を備える点灯装置。
【発明の詳細な説明】
【技術分野】
【０００１】
本発明は、照明器具および点灯装置に関する。
【背景技術】
【０００２】
従来、例えば、特開２００１−４３７２８号公報に開示されているように、ＬＥＤ素子の温度に応じた光量変化を抑制する技術が知られている。ＬＥＤ素子はその温度が使用状況に応じて変化し、その温度変化に応じて光量も変化するという特性を有している。具体的には、ＬＥＤ素子の温度が上昇した場合には光量が低下する。例えば、ＬＥＤ素子を点灯させた直後から点灯時間が経過すると、ＬＥＤ素子の温度が上昇して光量が低下する。上記公報に掛かる技術では、ＬＥＤ素子発光の近傍にサーミスタあるいは熱電対を取り付けてＬＥＤ素子の温度上昇を検知し、ＬＥＤ素子近傍に配置したペルチェ素子を制御することによりＬＥＤ素子の温度が一定になるようにしている。
【先行技術文献】
【特許文献】
【０００３】
【特許文献１】特開２００１−４３７２８号公報
【発明の概要】
【発明が解決しようとする課題】
【０００４】
上記従来の光量変化抑制技術では、熱電対などの温度検出手段およびペルチェ素子等の冷却手段をＬＥＤモジュールに搭載する必要がある。ペルチェ素子等を追加的に搭載する場合には、特にＬＥＤ素子の個数が多ければ多いほど、必要なペルチェ素子の個数が増加するおそれがある。このような冷却手段での外部冷却に頼らない別の方法で光量変化を抑制する新規な制御技術を、本願発明者は見出した。
【０００５】
また、ＬＥＤ素子の種類が異なると、ＬＥＤ素子を点灯させる点灯装置で行うべき最適な制御の内容も異なることがある。具体的には、例えば耐熱性の異なる複数種類のＬＥＤ素子では、同じ素子温度であっても、あるＬＥＤ素子にとっては許容範囲内の温度であり、他のＬＥＤ素子では故障を招く異常温度であるという場合がある。
【０００６】
本発明は、上述のような課題を解決するためになされたもので、温度上昇に伴うＬＥＤ素子の光量低下を補うことのできる照明器具および点灯装置を提供することを目的とする。
【０００７】
本発明の他の目的は、複数種類のＬＥＤ素子に合わせて制御内容を調整することのできる点灯装置を提供することを目的する。
【課題を解決するための手段】
【０００８】
第１の発明にかかる照明器具は、灯具と、前記灯具を点灯させる点灯装置と、前記灯具と前記点灯装置との間で信号を通信する通信手段と、を備え、前記灯具は、ＬＥＤ素子と、前記ＬＥＤ素子の温度を検知する温度検知手段と、を備え、前記信号は、前記温度検知手段で検知した前記ＬＥＤ素子の温度情報を含み、前記点灯装置は、前記ＬＥＤ素子と接続するコンバータ回路と、前記ＬＥＤ素子に供給する直流電流の値が目標電流値に一致するように前記コンバータ回路を制御する制御手段と、前記通信手段を介して受信した前記信号に含まれる前記温度情報に基づいて前記ＬＥＤ素子の温度が高いほど前記目標電流値を大きく設定する設定手段と、を備え、前記ＬＥＤ素子を識別する識別手段を備え、前記信号は、前記識別手段で得られた前記ＬＥＤ素子の識別に用いる識別情報を含み、前記設定手段は、前記通信手段を介して受信された前記信号に含まれる前記識別情報に応じて前記目標電流値の調整量を変更する。
【００１０】
第２の発明にかかる点灯装置は、ＬＥＤ素子に供給する直流電流を生成するためのコンバータ回路と、前記ＬＥＤ素子に供給する直流電流の値が目標電流値に一致するように前記コンバータ回路を制御する制御手段と、無線信号を受信する無線受信手段と、前記無線受信手段を介して受信した前記無線信号から前記ＬＥＤ素子の温度情報を取得し、前記ＬＥＤ素子の温度が高いほど前記目標電流値を大きく設定する設定手段と、を備える。
【００１３】
第３の発明にかかる点灯装置は、ＬＥＤ素子に供給する直流電流を生成するためのコンバータ回路と、前記ＬＥＤ素子に供給する直流電流の値が目標電流値に一致するように前記コンバータ回路を制御する制御手段と、無線信号を受信する無線受信手段と、前記無線受信手段を介して取得した前記無線信号から前記ＬＥＤ素子の識別情報を取得し、前記識別情報に対応付けられた前記保護温度を前記ＬＥＤ素子の温度情報と比較した結果に基づいて、前記コンバータ回路に対して保護制御を実施する保護制御手段と、を備える。
【発明の効果】
【００１４】
第１および第２の発明によれば、ＬＥＤ素子の温度情報を点灯装置が取得可能としたので、この温度情報に基づいて目標電流値を調整することができる。ＬＥＤ素子は温度が高いほど光量が低下する傾向があるので、目標電流値の設定により光量の低下を補うことができる。
【００１５】
第３の発明によれば、ＬＥＤ素子の識別情報を取得しこの識別情報ごとに制御内容を変更できるようにしたので、ＬＥＤ素子の種類に応じて点灯装置で行う制御の内容を調整することができる。
【図面の簡単な説明】
【００１６】
【図１】本発明の実施の形態にかかる照明器具、灯具、および点灯装置を示す図である。
【図２】本発明の実施の形態にかかる照明器具において実行される制御内容を示すフローチャートである。
【図３】本発明の実施の形態にかかる照明器具において実行される制御内容を示すフローチャートである。
【図４】本発明の実施の形態にかかる照明器具動作を説明するための図である。
【図５】本発明の実施の形態にかかる照明器具動作を説明するための図である。
【発明を実施するための形態】
【００１７】
実施の形態にかかる装置の構成．
図１は、本発明の実施の形態にかかる点灯装置１、ＬＥＤ灯具２７、および照明器具１００を示す回路図である。照明器具１００は、ＬＥＤ灯具２７と、点灯装置１と、調光器２９と、調光信号インターフェイス（Ｉ／Ｆ）回路４とを備えている。点灯装置１は、昇圧チョッパ回路２、バックコンバータ回路３、および制御装置４０を備えている。照明器具１００は、ＬＥＤ灯具２７と点灯装置１との間で無線信号Ｔｘを通信する通信手段を備えている。本実施の形態では、通信手段は、後述するように、無線通信用の送信部６２および受信部４６で構成されている。なお、送信部６２および受信部４６で無線通信を行うための通信技術は既に公知であり新規な事項ではないため、その詳細な説明は省略する。
【００１８】
ＬＥＤ灯具２７は、複数のＬＥＤ素子２８と、温度検知素子６０、温度検知回路６１、送信部６２、識別情報部６３を備える。ＬＥＤ灯具２７は、例えば電球形、直管形、シーリングライト形などの様々な形状を取りうる。また、ＬＥＤ灯具２７は点灯装置１に対して取り外し可能なものであってもよく、あるいはＬＥＤ灯具２７が点灯装置１から取り外し不可能なものであってもよい。本実施の形態にかかる温度検知素子６０は具体的にはサーミスタであり、温度検知素子６０からの出力信号は温度検知回路６１に入力される。温度検知回路６１は、温度検知素子６０の出力信号から、ＬＥＤ素子２８の温度に対して比例的な値を有する信号を生成し、この信号を送信部６２に伝達する。送信部６２は、ＬＥＤ灯具２７に内蔵され、無線信号Ｔｘを出力する。無線信号Ｔｘは、温度検知素子６０で検知された温度情報を含んでいる。
【００１９】
また、照明器具１００は、ＬＥＤ素子２８を識別する「識別手段」を備えている。本実施の形態では、識別情報部６３の識別情報を送信部６２が読み取って、この識別情報を無線信号Ｔｘに含ませることにより、この「識別手段」が実現されている。識別情報部６３は、例えば不揮発性メモリからなり、ＬＥＤ灯具２７のメーカおよび定格出力仕様等の情報が予め格納されている。
【００２０】
以上説明したように、送信部６２が出力する無線信号Ｔｘは、温度検知素子６０で検知したＬＥＤ素子２８の温度情報と、識別情報部６３から読み出されたＬＥＤ素子２８の識別情報とを含んでいる。この無線信号Ｔｘは、制御装置４０に内蔵された受信部４６で受信される。
【００２１】
なお、図１では説明の便宜上、一例として温度検知回路６１と識別情報部６３を別のブロックに図示しているが、これは本発明を限定するものではない。公知のマイコンを用いて温度検知回路６１および識別情報部６３を一体的に構成してもよく、そのマイコンのメモリに識別情報を記憶することで識別情報部６３を実現してもよい。
【００２２】
なお、本実施の形態では直列接続されるＬＥＤ素子２８の個数が５個であり、温度検知素子が１個の場合について説明している。しかしながら、本発明はこれに限定されず、複数のＬＥＤ素子２８を並列接続してもよく、或いは、複数のＬＥＤ素子２８を直並列に接続してもよい。また、ＬＥＤ灯具２７のＬＥＤ素子２８の個数も５個に限定されず、任意の個数のＬＥＤ素子２８をＬＥＤ灯具２７に搭載してもよい。
【００２３】
点灯装置１の昇圧チョッパ回路２は、力率改善を行う昇圧コンバータ回路であり、整流回路８と、コンデンサ９と、抵抗３１、３２が直列接続した分圧回路と、インダクタ（コイル）１０と、スイッチング素子Ｑ１と、ダイオード１４と、コンデンサ１７と、抵抗１５、１６が直列接続した分圧回路とを備えている。整流回路８は、交流電源７と接続している。コンデンサ９は、整流回路８の出力端子に並列に接続する。抵抗３１、３２が直列接続した分圧回路は、このコンデンサ９に並列に接続される。インダクタ（コイル）１０は、一端が整流回路８の高電位側に接続される。スイッチング素子Ｑ１は、第１端子（本実施の形態ではドレイン）、第２端子（本実施の形態ではソース）および第１、２端子間をスイッチングするための制御端子（本実施の形態ではゲート）を備え、インダクタ１０の他端に第１端子が接続されるＭＯＳＦＥＴである。ダイオード１４は、アノードがスイッチング素子Ｑ１の第１端子とインダクタ１０の他端の接続点に接続される。コンデンサ１７は、このダイオード１４のカソードに正極が接続され整流回路８の低電位側に負極が接続される電解コンデンサからなる。抵抗１５、１６が直列接続した分圧回路は、このコンデンサ１７に並列に接続される。コンデンサ１７の両端電圧が抵抗１５、１６を用いて分圧され制御装置４０に入力される。
【００２４】
バックコンバータ回路３は、スイッチング素子Ｑ２と、ダイオード２１と、インダクタ（チョークコイル）２２と、コンデンサ２３と、検出抵抗２４と、抵抗５１、５２が直列接続した分圧回路を備えている。スイッチング素子Ｑ２とダイオード２１からなる直列回路が、昇圧チョッパ回路２のコンデンサ１７と並列に接続されている。スイッチング素子Ｑ２は、本実施の形態ではＭＯＳＦＥＴであり、第１端子（本実施の形態ではドレイン）、第２端子（本実施の形態ではソース）および第１、２端子間をスイッチングするための制御端子（本実施の形態ではゲート）を備えている。スイッチング素子Ｑ２の第１端子がコンデンサ１７の一端（正極）と接続し、ダイオード２１のカソードに第２端子が接続される。インダクタ２２、コンデンサ２３、および検出抵抗２４がこの順に接続して直列回路を形成しており、この直列回路がダイオード２１に並列に接続している。抵抗５１、５２が直列接続した分圧回路は、コンデンサ２３に対して並列に接続されている。直列接続した複数のＬＥＤ素子２８のアノード端と、コンデンサ２３の正極端子とが接続している。直列接続した複数のＬＥＤ素子２８のカソード端と、コンデンサ２３の負極端子とが接続している。これによりバックコンバータ回路３からＬＥＤ素子２８に電流が供給され、ＬＥＤ素子２８が発光する。
【００２５】
検出抵抗２４はバックコンバータ回路３に設けられており、ＬＥＤ灯具２７に流れる電流（以下単に「ＬＥＤ電流」とも称す）に応じて検出抵抗２４に電圧が発生する。この検出抵抗２４の検出電圧が制御装置４０に入力されることで、ＬＥＤ電流の大きさを検知できる。制御装置４０は、検出抵抗２４による検出電圧に基づいて、ＬＥＤ電流が一定電流になるようにバックコンバータ回路３のスイッチング素子Ｑ２をオンオフする。
【００２６】
デジタル電源用の制御装置４０として提供されるマイコンは既に各種のものが公知であるため、それら公知のマイコンを制御装置４０に適宜に使用することができる。本実施の形態において一例として図１に示す制御装置４０は、内部バスを介して互いに接続された制御回路４１、４２、記憶部４３、Ａ／Ｄ変換回路４４、処理装置４５、および受信部４６を備えている。制御回路４１、４２は、処理装置４５からの制御信号に従ってそれぞれＰＷＭ信号を出力する。このＰＷＭ信号によって、スイッチング素子Ｑ１、Ｑ２それぞれがスイッチングされる。不揮発性メモリなどからなる記憶部４３には、処理装置４５で実行すべき演算プログラムおよび演算に用いられる各種データが書込／読出可能に記憶されている。処理装置４５は、スイッチング素子Ｑ１、Ｑ２のスイッチング制御におけるオン時間などを算出する。制御装置４０には、抵抗１５、１６で分圧された電圧、抵抗３１、３２で分圧された電圧、抵抗５１、５２で分圧された電圧、および検出抵抗２４で検知したＬＥＤ電流に応じた電圧がそれぞれ入力される。Ａ／Ｄ変換回路４４でこれらの電圧値がデジタル値に変換され、このデジタル値を用いて処理装置４５により演算処理が行われる。制御装置４０には、調光信号Ｉ／Ｆ回路４を介して調光器２９からの調光信号が入力されている。ＬＥＤ電流がこの調光信号に基づいて決定される目標電流に一致するように、制御装置４０は定電流フィードバック制御を行っている。定電流フィードバック制御は、検出抵抗２４で検知したＬＥＤ電流に基づいてスイッチング素子Ｑ２のオン幅を調整するものである。
【００２７】
本実施の形態では、記憶部４３が、「目標電流テーブル」および「保護温度テーブル」を記憶している。「目標電流テーブル」は、後述する図２のルーチンで使用されるものであり、ＬＥＤ素子２８の識別情報ごとに予めＬＥＤ温度と目標電流値との関係が定められたものである。つまり、目標電流テーブルは、識別情報ごとに異なる温度電流特性を記憶したものである。一般にＬＥＤの温度が高いほど光量が低下する傾向があるので、目標電流テーブルの値はこれを補正するようにＬＥＤ温度が高いほど光量が低下しないように目標電流値が大きく定められている。
【００２８】
図４および図５は、本発明の実施の形態にかかる照明器具１００の動作を説明するための図である。図４は、３つの異なる種類のＬＥＤ素子ごとの、ＬＥＤ温度と光量との関係を模式的に示すグラフである。ここでは３つの異なる種類のＬＥＤ素子Ｘ１、Ｘ２、Ｘ３を想定している。ＬＥＤ素子Ｘ１が最も温度増加に対する光量の低下度合いが大きく、ＬＥＤ素子Ｘ３が最も温度増加に対する光量の低下度合いが小さく、ＬＥＤ素子Ｘ２はＬＥＤ素子Ｘ１とＬＥＤ素子Ｘ３の中間の特性を有する。高温のときに大幅に光量が低下するＬＥＤ素子Ｘ１と、同じ高温であってもそれほど光量が変わらないＬＥＤ素子Ｘ３とでは、同じ光量を実現するための目標電流の調整値が異なってくる。温度変化に対する光量の低下度合いが小さければ、目標電流値を変化させるべき幅も小さくてよいからである。
【００２９】
図５は、実施の形態にかかる目標電流テーブルの内容を模式的にグラフ化したものである。上記の３種類のＬＥＤ素子Ｘ１、Ｘ２、Ｘ３それぞれについて、ＬＥＤ温度−目標電流値の特性を異なる傾きに設定している。ＬＥＤ素子Ｘ１は高温のときに大幅に光量が低下する。そこで、目標電流テーブルにおけるＬＥＤ素子Ｘ１の特性は、ＬＥＤ温度の上昇に応じた目標電流値の増加幅を大きく設定し、温度変化に対して急な傾きで目標電流値が増加するように定める。これに対し、ＬＥＤ素子Ｘ３は高温となってもＬＥＤ素子Ｘ１と比べて光量の低下が少ない。そこで、目標電流テーブルにおけるＬＥＤ素子Ｘ３の特性は、ＬＥＤ温度の上昇に応じた目標電流値の増加幅をＬＥＤ素子Ｘ１よりも小さく設定し、温度変化に対してＬＥＤ素子Ｘ１の特性よりも緩やかな傾きで目標電流値が増加するように定める。目標電流テーブルにおけるＬＥＤ素子Ｘ２の特性は、ＬＥＤ素子Ｘ１、Ｘ３の中間の傾きに定める。
【００３０】
本実施の形態では、好ましい形態として、ＬＥＤ素子２８の識別情報ごとに予め定めた適切な調整量を上記の目標電流テーブルから読み出すことで、識別情報に応じて目標電流値の調整量を変更する。つまり、処理装置４５は、識別情報がＬＥＤ素子Ｘ１〜Ｘ３のいずれかを示しているかで、図５のいずれの特性を使用するかを決定する処理を実行する。これにより、複数種類のＬＥＤ素子２８がそれぞれ有する互いに異なった温度特性に合わせて、目標電流テーブルから適切な温度電流特性を選択することができる。
【００３１】
なお、図５では温度に応じて目標電流値が連続的な変化を示すように図示しているが、これは模式図であり本発明を限定するものではなく、目標電流値は温度に応じて連続的に変化しなくともよい。図５の増加傾向に従って、予め定めた複数の温度領域ごとに一定の目標電流値をそれぞれ割りあてた目標電流テーブルを作成してもよい。これにより、現在のＬＥＤ温度が属する温度領域が変わるごとに、不連続的に目標電流値が増加あるいは減少するようにしてもよい。
【００３２】
一方、「保護温度テーブル」は、識別情報ごとに予め定められた保護温度を設定したものである。この保護温度テーブルには、ＬＥＤ素子２８の識別情報に対応させて、そのＬＥＤ素子２８の保護温度つまり温度の上限値が設定されている。具体的には、ＬＥＤ素子Ｘ１〜Ｘ３ごとに異なる保護温度Ｔｓ１、Ｔｓ２、Ｔｓ３が設定されている。この保護温度テーブルは、後述する図３のルーチンで使用される。
【００３３】
なお、実施の形態では「目標電流テーブル」および「保護温度テーブル」と記載しているようにテーブルの形態で記憶部４３に情報を記憶している。しかしながらテーブルは一例であり、同様の情報を、テーブル以外の形態、例えば処理装置４５で演算可能な演算式の形態で記憶部４３に記憶してもよい。すなわち、「異なる種類のＬＥＤ素子のＬＥＤ温度と目標電流値の関係を定めた情報」および「異なる種類のＬＥＤ素子と保護温度の関係を定めた情報」を記憶部４３に記憶しておけばよい。
【００３４】
実施の形態にかかる目標電流値の制御．
図２は、本発明の実施の形態にかかる照明器具１００において実行される制御内容を示すフローチャートである。図２に示す制御内容のうち、ステップＳ１、Ｓ２はＬＥＤ灯具２７の側の動作であり、ステップＳ３〜Ｓ５は予めプログラムとして記憶部４３に記憶されており点灯装置１の作動中に処理装置４５で実行される。
【００３５】
まず、ＬＥＤ灯具２７において、温度検知素子６０がＬＥＤ灯具２７内にあるＬＥＤ素子２８の温度を検知する（ステップＳ１）。
【００３６】
次に、ＬＥＤ灯具２７において、温度検知素子６０の出力信号が温度検知回路６１により温度情報に変換されるとともに、送信部６２が識別情報部６３からＬＥＤ素子２８の識別情報を読み取り、ＬＥＤ温度情報およびＬＥＤ識別情報を含む無線信号Ｔｘを送信部６２が発信する（ステップＳ２）。
【００３７】
次に、処理装置４５は出力変更が必要か否かを判定する処理を実行する（ステップＳ３）。具体的には、まず、制御装置４０は、受信部４６にて無線信号Ｔｘを受信する。受信した無線信号ＴｘからＬＥＤ温度情報およびＬＥＤ識別情報が取得され、ＬＥＤ素子２８の種類を判定するとともに、ＬＥＤ温度と予め定められた基準温度とが比較される。基準温度は、ＬＥＤ素子２８の種類ごとにそれぞれ設定されていることが好ましい。ＬＥＤ温度と基準温度との差が予め定めた値より大きい場合には、ＬＥＤ素子２８の温度変化に伴う光量の変化が許容できないほどに大きいと判断できる。従って、ＬＥＤ温度と基準温度との差が予め定めた値より大きい場合には、出力変更が必要であると判定される。一方、ＬＥＤ温度と基準温度との差が予め定めた値以下である場合には、出力変更は必要でない判定され、処理はステップＳ１に戻る。
【００３８】
ステップＳ３で出力変更が必要であると判定された場合には、処理はステップＳ４に進む。ステップＳ４では記憶部４３内の前述した「目標電流テーブル」が参照され、処理装置４５はこの目標電流テーブルからＬＥＤ温度に応じた目標電流値を読み出す。前述したように、制御装置４０は、ＬＥＤ電流が目標電流に一致するようにスイッチング素子Ｑ２のオン幅を調整する定電流フィードバック制御を行っている。このステップＳ４で目標電流テーブルから読み出された新たな目標電流値が、定電流フィードバック制御に用いられる。具体的には、まずステップＳ４では処理装置４５が制御回路４２に与えている制御信号の内容が変更される。続いてステップＳ５で変更後の制御信号が制御回路４２に与えられる。処理装置４５からの制御信号が変化すると、これに応じて制御回路４２はスイッチング素子Ｑ２の制御端子（ゲート）に与えるＰＷＭ信号を調節する。なお、ステップＳ４での目標電流値の変更は、調光器２９の調光信号による目標電流値の決定とは別に実施される。
【００３９】
なお、変形例としては、昇圧チョッパ回路２のスイッチング素子Ｑ１を駆動する制御回路４１への制御信号を変更してもよい。また、制御回路４１および制御回路４２に対する制御信号を両方とも変更してもよい。
【００４０】
以上説明したように、本実施の形態では、制御装置４０は、温度情報に基づいて、ＬＥＤ素子２８の温度が高いほど目標電流値を大きく設定する。このように、ＬＥＤ素子２８の温度情報を点灯装置１が取得可能としたので、この温度情報に基づいて目標電流値を調整することができる。ＬＥＤ素子２８は温度が高いほど光量が低下する傾向があるので、目標電流値の設定により光量の低下を補うことができる。さらに、本実施の形態では、制御装置４０は、目標電流テーブルを参照することで、無線信号Ｔｘに含まれる識別情報ごとに、ＬＥＤ素子２８の温度に応じた目標電流値の調整量を変更する。これにより、互いに温度特性の異なる複数種類のＬＥＤ素子２８に対して適切な目標電流値設定を行うことが出来る。なお、本実施の形態では、より好ましい制御として、ＬＥＤ温度が変化したときの光量の変化分を相殺するように目標電流値を変化させるものとする。これにより、ＬＥＤ温度が変化したときでも光量を一定に保つことができる。
【００４１】
なお、上述した実施の形態では、好ましい形態として、目標電流テーブルにＬＥＤ素子２８の識別情報ごとにＬＥＤ素子２８の温度と目標電流値との関係を定めたが、本発明はこれに限られない。ＬＥＤ素子２８の識別情報を考慮しなくともよく、この場合にはＬＥＤ素子２８の温度と目標電流値との関係を定めたテーブルを作成し、このテーブルを異なる種類のＬＥＤ素子２８に対して共通に使用してもよい。例えば、図５のＬＥＤ素子Ｘ１〜Ｘ３の温度特性の平均を求めて、この平均した温度特性を、異なる種類のＬＥＤ素子２８に対して共通に使用してもよい。
【００４２】
実施の形態にかかる温度保護制御．
本実施の形態では、制御装置４０は、予め定めた保護温度を温度情報と比較した結果に基づいて、バックコンバータ回路３に対して保護制御を実施する。前述したように記憶部４３は「保護温度テーブル」を記憶している。制御装置４０は、この保護温度テーブルを参照することで、ＬＥＤ素子２８の識別情報に応じて保護温度の値を最適な値に変更する。
【００４３】
図３は、本発明の実施の形態にかかる照明器具１００において実行される制御内容を示すフローチャートである。図３に示す制御内容のうち、ステップＳ１１、Ｓ１２はＬＥＤ灯具２７の側の動作であり、ステップＳ１３、Ｓ１４は予めプログラムとして記憶部４３に記憶されており点灯装置１の作動中に処理装置４５で実行される。
【００４４】
まず、図２のステップＳ１と同様に温度検知素子６０でＬＥＤ素子２８の温度が検知される（ステップＳ１１）。次に、図２のステップＳ２と同様に、ＬＥＤ素子２８の温度情報およびＬＥＤ素子２８の識別情報を含む無線信号を、送信部６２が発信する（ステップＳ１２）。
【００４５】
次に、処理装置４５は、ＬＥＤ温度異常が生じているか否かを判定する処理を実行する（ステップＳ１３）。具体的には、まず、制御装置４０は受信部４６でその無線信号Ｔｘを受信する。さらに、処理装置４５は、無線信号Ｔｘに含まれるＬＥＤ温度情報とＬＥＤ識別情報を取得し、これらの情報に基づいて保護温度テーブルを参照することにより保護温度を読み出す。さらに、処理装置４５は、ＬＥＤ温度情報から得られたＬＥＤ素子２８の温度が、読み出した保護温度以上となっているか否かを判定する処理を実行する。
【００４６】
ステップＳ１３でＬＥＤ温度異常が生じていると判定された場合、処理装置４５は保護制御を行う（ステップＳ１４）。この保護制御は、具体的には、処理装置４５が、制御回路４２に対して、バックコンバータ回路３のスイッチング素子Ｑ２を停止するスイッチング動作停止信号を作成させる制御である。制御回路４２がこのスイッチング動作停止信号をスイッチング素子Ｑ２の制御端子に出力することで、バックコンバータ回路３の動作が停止される。
【００４７】
以上説明したように、本実施の形態によれば、ＬＥＤ素子２８の識別情報を点灯装置１が取得することができるようにしたので、ＬＥＤ素子２８の種類に応じて点灯装置１で行う制御の内容を調整することができる。すなわち、耐熱性の異なる複数種類のＬＥＤ素子をＬＥＤ素子２８に用いる場合、同じ素子温度であっても、ある温度特性のＬＥＤ素子をＬＥＤ素子２８に適用した場合には許容範囲内の温度であり、他の温度特性のＬＥＤ素子をＬＥＤ素子２８に適用した場合には故障を招く異常温度であるという場合がある。この点、上記実施の形態によれば、ＬＥＤ素子Ｘ１〜Ｘ３ごとに異なる保護温度Ｔｓ１、Ｔｓ２、Ｔｓ３が設定された保護温度テーブルを用いることにより、ＬＥＤ素子２８の種類に応じて適切な保護温度を設定することができる。
【００４８】
なお、回路動作停止のバリエーションとしては、昇圧チョッパ回路２のスイッチング素子Ｑ１のオンオフを停止させるように構成してもよく、あるいはスイッチング素子Ｑ１、Ｑ２の両方を停止させるように構成してもよい。
【００４９】
なお、本実施の形態では、図２および図３に示した制御内容の両方を実行する照明器具１００が提供されたが、本発明はこれに限られない。照明器具１００が図２に示した目標電流値の制御のみを単独で行ってもよく、その場合には記憶部４３が保護温度テーブルを有さなくてもよい。また、照明器具１００が図３に示した保護制御のみを単独で行ってもよく、その場合には記憶部４３が目標電流テーブルを有さなくてもよい。なお、本実施の形態では、目標温度テーブルおよび保護温度テーブルを記憶部４３に記憶させたが、本発明はこれに限られるものではなく、照明装置１００全体のいずれかにそれらのテーブルの情報を保持しておけばよい。例えば、ＬＥＤ灯具２７が十分な内蔵メモリを有するのであればこの内蔵メモリに目標温度テーブルおよび保護温度テーブルが記憶されていてもよく、その場合には無線信号Ｔｘに目標電流値や保護温度を含ませてもよい。また、ＬＥＤ灯具２７の内部マイコンで図３のルーチンの演算処理が可能であれば、図３のルーチンをＬＥＤ灯具２７の側で実行させても良い。その場合には、保護制御を実施すべき保護信号を無線信号Ｔｘに含ませておき、点灯装置１はその保護信号を受信した場合に保護制御を行えばよい。
【００５０】
なお、灯具交換式のＬＥＤ照明器具ではＬＥＤ灯具を点灯装置に取り付ける口金の構造に制限があるので、そのようなＬＥＤ灯具に温度検知回路のための配線を取り付けるのは困難である。この点、本実施の形態にかかる照明器具１００によれば、無線通信によりＬＥＤ温度情報等の送受信を行うので、口金の構造に影響を与えることがないという利点がある。
【００５１】
また、特許文献１との比較では、例えば直管形などのサイズの大きなＬＥＤ灯具においては十分な温度制御のためにペルチェ素子を大量に必要とするので、部品点数増加およびコスト増加などが懸念される。この点、本実施の形態にかかる照明器具１００によれば、ペルチェ素子などの付加的な部品が不要という利点がある。
【符号の説明】
【００５２】
１  点灯装置、２  昇圧チョッパ回路、３  バックコンバータ回路、４  調光信号インターフェイス（Ｉ／Ｆ）回路、７  交流電源、８  整流回路、９、１７、２３  コンデンサ、１０、２２  インダクタ、１４、２１  ダイオード、１５、１６、３１、３２、５１、５２  抵抗、２４  検出抵抗、２７  ＬＥＤ灯具、２８  ＬＥＤ素子、２９  調光器、４０  制御装置、４１、４２  制御回路、４３  記憶部、４４  Ａ／Ｄ変換回路、４５  処理装置、４６  受信部、６０  温度検知素子、６１  温度検知回路、６２  送信部、６３  識別情報部、１００  照明器具、Ｑ１、Ｑ２  スイッチング素子
【図１】
0006379806.tif 000002
【図２】
0006379806.tif 000003
【図３】
0006379806.tif 000004
【図４】
0006379806.tif 000005
【図５】
0006379806.tif 000006